(57)【要約】【課題】刃物を使用することなく開封を的確に行え、口の狭い容器に内容物を移し替える作業を迅速且つ確実に行うことができる包装袋を提供すること。【解決手段】包装袋の上縁10aを封止する段付きシール部であって、包装袋の一側縁から他側縁方向に延びる幅広部18と、幅広部の他側縁側に接続され下縁20aが幅広部の下縁18aより上方側に位置する幅狭部20とを有する段付きシール部と、幅広部の前縁18bと、幅狭部の下縁と、幅広部の前縁に対向する包装袋の他側縁10dとによって規定され、包装袋の内部空間と連通する取出し通路22と、包装袋の一側縁から取出し通路に向けて幅広部を包装袋の他側縁に向かって横方向に延び幅広部内で終端する弱化線24であって、弱化線は点線状に直線的に配列された複数の切断線24a-nを含む弱化線と、弱化線の終端と取出し通路との間に設けられ、上方に向かって開口する略Ｕ字状を有するＵ字切断線26と、を備えている包装袋が提供される。【選択図】図１
2020104879.tif 000002
【特許請求の範囲】
【請求項１】
内部空間を有する包装袋であって、
前記包装袋の上縁を封止する段付きシール部であって、包装袋の一側縁から他側縁方向に延びる幅広部と、該幅広部の他側縁側に接続され下縁が前記幅広部の下縁より上方側に位置する幅狭部とを有する段付きシール部と、
前記幅広部の前縁と、前記幅狭部の下縁と、前記幅広部の前縁に対向する前記包装袋の他側縁とによって規定され、前記包装袋の内部空間と連通する取出し通路と、
前記包装袋の一側縁から前記取出し通路に向けて前記幅広部を前記包装袋の他側縁に向かって横方向に延び前記幅広部内で終端する弱化線であって、 該弱化線は点線状に直線的に配列された複数の切断線を含む弱化線と、
前記弱化線の終端と前記取出し通路との間に設けられ、上方に向かって開口する略Ｕ字状を有するＵ字切断線と、を備えている、
ことを特徴とする包装袋。
【請求項２】
前記Ｕ字切断線と前記取出し通路との間に設けられた誘導切断線を備えている、
請求項１に記載の包装袋。
【請求項３】
前記Ｕ字切断線の一端が、前記弱化線の先端部に隣接している、
請求項１または２に記載の包装袋。
【請求項４】
前記Ｕ字切断線の他端が、前記誘導切断線の一端に隣接している、
請求項２に記載の包装袋。
【請求項５】
前記Ｕ字切断線の一端が、前記弱化線の先端部より上方に位置している、
請求項１ないし４のいずれか１項に記載の包装袋。
【請求項６】
前記Ｕ字切断線の一端が、前記弱化線の先端部と略同一の高さ位置に位置している、
請求項１ないし４のいずれか１項に記載の包装袋。
【請求項７】
段付きシール部の幅広部の前縁と下縁との接続部分が湾曲形状を有している、
請求項１ないし６のいずれか１項に記載の包装袋。
【発明の詳細な説明】
【技術分野】
【０００１】
本発明は、包装袋に関し、詳細には、開封するための弱化線が形成されている包装袋に関する。
【背景技術】
【０００２】
七味唐辛子、乾燥ハーブ等の粉粒状香辛料、フレーバーシュガー、旨味成分入り食塩等の調味料、トマトケチャップ等のソースなどを消費者に提供するために種々の包装袋が提案されている。
【０００３】
この種の包装袋には、刃物等を使用することなく適切に開封できることが求められている。このような要請に応じるべく、上端のシール部分に弱化線が形成された包装袋が提案されている（特許文献１）。
【先行技術文献】
【特許文献】
【０００４】
【特許文献１】特開２０１６−１３７９３１号公報
【発明の概要】
【発明が解決しようとする課題】
【０００５】
近年、環境意識の高まりから、容器に収容された内容物、例えば七味唐辛子等の調味料を使い果たすと、詰め替え用の内容物（調味料等）を購入し、空になった容器に補充して使用するという使用態様が増加しつつある。詰め替え用の内容物は、包装袋に収容され販売等されているため、上記の使用態様では、詰め替え用の内容物を包装袋から容器に移す作業が必要となる。
【０００６】
一方、調味料等の内容物を収容する容器の口は、狭い(小径の)ものが多いため、詰め替え用の内容物を容器に移す作業では、容器の狭い口から、詰め替え用の内容物を容器内に充填していくことになる。
【０００７】
このため、詰め替え用の内容物を容器に移す際に、時間を要する、内容物を容器に上手く移せずこぼしてしまう等の問題が生じていた。
【０００８】
本発明はこのような点に鑑みてなされたものであり、刃物を使用することなく開封を的確に行うことのでき、さらに、口の狭い容器に内容物を移し替える作業を迅速且つ確実に行うことができる包装袋を提供することを目的とする。
【課題を解決するための手段】
【０００９】
本発明によれば、
内部空間を有する包装袋であって、
前記包装袋の上縁を封止する段付きシール部であって、包装袋の一側縁から他側縁方向に延びる幅広部と、該幅広部の他側縁側に接続され下縁が前記幅広部の下縁より上方側に位置する幅狭部とを有する段付きシール部と、
前記幅広部の前縁と、前記幅狭部の下縁と、前記幅広部の前縁に対向する前記包装袋の他側縁とによって規定され、前記包装袋の内部空間と連通する取出し通路と、
前記包装袋の一側縁から前記取出し通路に向けて前記幅広部を前記包装袋の他側縁に向かって横方向に延び前記幅広部内で終端する弱化線であって、 該弱化線は点線状に直線的に配列された複数の切断線を含む弱化線と、
前記弱化線の終端と前記取出し通路との間に設けられ、上方に向かって開口する略Ｕ字状を有するＵ字切断線と、を備えている、
ことを特徴とする包装袋が提供される。
【００１０】
このような構成では、包装袋を開封する際には、使用者は、包装袋の一側縁から取出し通路に向けて延びる弱化線の上の部分（上方部）と下の部分（本体部）とを左右の手でそれぞれ把持し、弱化線に沿って、上方部を本体部から引き離すことにより、包装袋の上方部を、本体部から順次、切り離し、包装袋の本体部の上端に切断部を形成していく。
【００１１】
弱化線の終端と取出し通路の間には略Ｕ字状を有するＵ字切断線が設けられているので、切断部は、Ｕ字切断線において略Ｕ字状に湾曲したＵ字切断部分を形成した後、幅広部の他端に達する。
【００１２】
さらに、使用者が包装袋の上方部の引き離しを継続することにより、切断部は、取出し通路を横断して包装袋の他端に達し、上方部が本体部から完全に分離される。このとき、取出し通路の上端は、開口となり、この開口を通して包装袋の内容物を包装袋の外に放出あるいは流出させることが可能となる。
【００１３】
上述したように、切断部は、略Ｕ字状のＵ字切断部分を備えているので、包装袋の上端に形成された切断部には、取出し通路の開口の近傍位置にＵ字状の凹所が形成されることになる。
【００１４】
このような包装袋では、開封後、包装袋の内容物を瓶等に移す際には、取出し通路の開口が瓶の狭い口に挿入される。このとき、取出し通路の開口の近傍位置に形成されたＵ字状の凹所に瓶の口の上縁を差し込むことにより、取出し通路を瓶の口に対して確実に固定し、包装袋の内容物を迅速かつ確実に瓶等の容器に移すことができる。
【００１５】
本発明の他の好ましい態様によれば、
前記Ｕ字切断線と前記取出し通路との間に設けられた誘導切断線を備えている。
【００１６】
このような構成によれば、切断部は、Ｕ字切断線を通過した後、誘導切断線に導かれるので、誘導切断線によって、切断部がＵ字切断線を通過後に進む方向を、取り出し通路をその全幅にわたって横断し包装袋の他側縁に至る方向に、より確実に誘導することができる。
【００１７】
本発明の他の好ましい態様によれば、
前記Ｕ字切断線の一端が、前記弱化線の先端部に隣接している。
【００１８】
このような構成によれば、切断部は、弱化線の終端を通過した後、より確実にＵ字切断線に導かれる。
【００１９】
本発明の他の好ましい態様によれば、
前記Ｕ字切断線の他端が、前記誘導切断線の一端に隣接している。
【００２０】
このような構成によれば、切断部は、Ｕ字切断線を通過した後、より確実に誘導切断線に導かれる。
【００２１】
本発明の他の好ましい態様によれば、
前記Ｕ字切断線の一端が、前記弱化線の先端部より上方に位置している。
【００２２】
このような構成によれば、切断部は、弱化線の終端を通過した後、より確実にＵ字切断線に導かれる。
【００２３】
本発明の他の好ましい態様によれば、
前記Ｕ字切断線の一端が、前記弱化線の先端部と略同一の高さ位置に位置している。
【００２４】
本発明の他の好ましい態様によれば、
段付きシール部の幅広部の前縁と下縁との接続部分が湾曲形状を有している。
【００２５】
このような構成によれば、段付きシール部の幅広部と幅狭部との接続部分は、取出し通路の入口部を規定する部分であるので、この接続部分が湾曲していることにより、包装袋の内容物を取出し通路から流出させる際に、この接続部分で内容物の流れが滞ることが抑制され、円滑な流出が可能となる。
【発明の効果】
【００２６】
本発明によれば、刃物を使用することなく開封を的確に行うことのでき、さらに、内容物を口の狭い容器に移し替える作業を迅速且つ確実に行うことができる包装袋が提供される。
【図面の簡単な説明】
【００２７】
【図１】本発明の好ましい実施形態の包装袋の斜視図である。
【図２】本発明の好ましい実施形態の包装袋の上部シール部の近傍を示す拡大図である。
【図３】包装袋が開封された状態における図２に示す部分の拡大図である。
【図４】本発明の変形例の包装袋のＵ字切断線近傍を示す模式図である。
【図５】本発明の他の変形例の包装袋のＵ字切断線近傍を示す模式図である。
【発明を実施するための形態】
【００２８】
以下、本発明の好ましい実施形態の包装袋１０を図面に沿って説明する。図１は、本発明の好ましい実施形態の包装袋１０の斜視図であり、図２は、本発明の好ましい実施形態の包装袋１０の上部シール部を示す拡大図であり、図３は、開封された包装袋１０の上部シール部を示す拡大図である。
【００２９】
本実施形態の包装袋１０は、詰め替え用の調味料等を収容するために使用される包装袋である。具体的には、七味唐辛子、一味唐辛子、粒こしょう等の粒状調味料、フレーバーシュガー等の砂糖加工食品などの内容物を詰め替え用内容物として収容する包装袋である。
なお、本発明は、このような包装袋に限定されるものではなく、他の用途で使用される包装袋にも広く適用されるものである。
【００３０】
本実施形態の包装袋１０は、長尺状のフィルム材料の長辺同士をヒートシールによって接合して得られた筒状体の上下を、更にヒートシールによって封止した所謂背シールタイプのピロー袋であり、側面視で矩形形状を有し、内容物を収容する内部空間が内部に形成されている。
【００３１】
詳細には、本実施形態の包装袋１０は、正面視で上下に細長い矩形形状を有し、フィルム材料の長辺同士をヒートシールによって接合することによって形成され、裏面に配置された背シール部１２と、包装袋１０の上端１０ａおよび下端１０ｂを封止する上部シール部１４および下部シール部１６と、を備えている。
【００３２】
背シール部１２は、包装袋１０の裏面の幅方向中央位置を上下に延びる帯状フラップの形状を有する。背シール部１２は、典型的には、図示のように、包装袋１０の背面の幅方向中央部に配置されるが、中央部から幅方向に変位した位置に配置されてもよい。
上部シール部１４は、包装袋１０の上端を幅方向に延びる段付き形状を有し、下部シール部１６は、包装袋１０の下端を幅方向に延びる帯状形状を有している。
【００３３】
尚、以下の説明において、包装袋１０「一側」とは、例えば、「一側縁１０ｃ」のように、フラップ状の背シール部１２の基端側（図１では右側）の「側」を指す。一方、包装袋１０の「他側」とは、「他側縁１０ｄ」のように、フラップ状の背シール部１２の自由端側（図１では左側）の「側」を指す。
【００３４】
上述したように、上部シール部１４は段付き形状を有している。具体的には、上部シール部１４は、包装袋１０の一側縁から他側縁方向に向けて延びる幅広部１８と、幅広部１８の他側縁側に接続された幅狭部２０とを有している。幅狭部２０の下縁２０ａは、幅広部１８の下縁１８ａより上方に位置している。幅広部１８は、背シール部１２を横断している。
【００３５】
包装袋１０には、さらに、包装袋１０の他側縁側に位置する幅広部１８の側縁（前縁）１８ｂと、幅狭部２０の下縁２０ａと、包装袋１０の他側縁のうち前縁１８ｂに対向する部分とによって規定された取出し通路２２が形成されている。取出し通路２２は、包装袋１０の内部空間と連通する空間であり、後述するように、包装袋１０の上部が切り離されると、上端が開口し、包装袋１０の内部空間内の内容物を外部に排出する流路として使用される。
【００３６】
包装袋１０は、一側縁１０ｃから取出し通路２２に向けて幅広部１８内を包装袋の他側縁１０ｄに向かって横方向に延びる弱化線２４を備えている。弱化線２４は、取出し通路２２の上端と下端との間の中間より下端寄りの高さ位置で、包装袋１０の上縁と略平行に延び、幅広部１８内、詳細には、取出し通路２２の近傍で終端している。
【００３７】
図１および図２に示されているように、弱化線２４は、点線状に直線的に配列された複数の切断線２４ａ、２４ｂ・・・２４ｎによって構成されている。切断線のうちの最も包装袋１０の一側縁側に位置する第１切断線２４ａは、包装袋１０の一側縁に開放し且つ横方向に延びている。尚、第１切断線２４ａが、一側縁に開放しない構成でもよい。
【００３８】
弱化線２４は、第１切断線２４ａから続き、点線状に直線的に配列された複数の他の切断線２４ｂ、２４ｃ…２４ｎをさらに備えている。
第１切断線２４ａ、他の切断線２４ｂ、２４ｃ…２４ｎは、いずれも包装袋１０を構成するフィルム材料を貫通する短い直線状の切込みとして構成されている。
【００３９】
また、第１切断線２４ａ、および他の切断線２４ｂ、２４ｃ…２４ｎは、短い直線状の切込みに限定されず、例えば、ＹあるいはＶ字を横倒しにした形状等の他の形状であってもよい。
変形例として、第１切断線２４ａ、および他の切断線２４ｂ、２４ｃ…２４ｎは、フィルム材料を貫通した切断線に限らず、ハーフカット等の容易に引き裂ける切断線であってもよい。
【００４０】
包装袋１０は、また、弱化線２４の終端（包装袋１０の他端側の端）である切断線２４ｎと取出し通路２２との間に設けられたＵ字切断線２６を備えている、Ｕ字切断線２６は、上方に向かって開口する略Ｕ字状を有している。
【００４１】
本実施形態の包装袋１０では、Ｕ字切断線２６は、開口部の幅が約５ｍｍ、底部の湾曲部分の曲率半径が約２．５ｍｍ、深さが約３ｍｍとされている。これらの寸法は、詰め替え先の容器の材質や縁の厚さ、形状に応じて、例えば、開口部が幅は２〜１０ｍｍ、深さが２〜１０ｍｍの範囲で適宜、設定される。
【００４２】
さらに、Ｕ字の中心線と包装袋１０の他側縁１０ｄとの距離は、容器の口の径に応じ、例えば、２０〜３０ｍｍの範囲で適宜、設定される。
【００４３】
Ｕ字切断線２６も、第１切断線２４ａ等の切断線と同様に、包装袋１０を構成するフィルム材料を貫通する切込みとして形成されている。図２に示されているように、本実施形態の包装袋１０では、Ｕ字切断線２６は、一端（包装袋１０の一側側の先端）が、弱化線の先端部に隣接して配置されている。
なお、Ｕ字切断線２６は、Ｕ字形状に限定されず、容器の縁が引っ掛かる他の形状、例えば、底部が矩形となり上方に向かって開口する略コ字状の形状、Ｖ字形状等でもよい。
【００４４】
詳細には、図２に示されているように、Ｕ字切断線２６は、一端（包装袋１０の一側側の先端）２６ａが、弱化線２４の先端部に隣接して配置されている。詳細には、Ｕ字切断線２６の一端（包装袋１０の一側側の先端）２６ａは、弱化線２４の先端（包装袋１０の最も他端側）に位置する切断線２４ｎに隣接し、弱化線２４と同じ高さ位置に配置されている。
【００４５】
本実施形態の包装袋１０は、さらに、Ｕ字切断線２６と取出し通路２２との間に設けられた誘導切断線２８を備えている。誘導切断線２８は、短い直線状の切込みであり、第１切断線２４ａ等の切断線と同様に、包装袋１０を構成するフィルム材料を貫通する切込みとして形成されている。誘導切断線２８は、図２に示されているように、その中央部が、Ｕ字切断線２６の他端２６ｂの上方に位置するように配置されている。
【００４６】
また、本実施形態の包装袋１０では、幅広部１８の前縁１８ｂ（包装袋１０の他端側の縁）は、包装袋１０の他側縁１０ｄと平行に延びるように形成されている。さらに、幅広部１８の前縁１８ｂと下縁１８ａとは、これらの接続部分１９で、湾曲形状（Ｒ形状）をなすように接続されている。
【００４７】
更に、本実施形態の包装袋１０は、幅広部１８の弱化線２４の上方の幅方向中央位置に、ランドルト環状の切込み部３０が、開口３０ａが下方に向いた配向で形成されている。この切込み部３０で囲まれた領域を押し込むことにより、上部シール部１４の幅広部１８に円形の開口が形成される。販売店においては、吊下げ用のフックを、この円形の開口に差込むことで、包装袋１０を吊下げ状態で陳列することができる。
【００４８】
次に、このような構成を有している包装袋１０の開封作業、および開封した包装袋から内容物を移し替える作業について説明する。
【００４９】
包装袋１０を開封する際には、使用者は、まず、包装袋１０の弱化線２４の上の部分（上方部）と下の部分（本体部）を、左右の手でそれぞれ把持する。次いで、包装袋１０の一側縁１０ｃから取出し通路２２に向けて延びる弱化線２４に沿って、上方部を下方部から引き離し、包装袋の上方部を、本体部から順次、切り離し、包装袋の弱化線２４の下方に位置する部分(本体部)の上端に切断部を形成していく。
【００５０】
弱化線２４の終端と取出し通路２２の間には略Ｕ字状を有するＵ字切断線２６が設けられているので、切断部は、弱化線２４を通過した後、Ｕ字切断線２６に至り、Ｕ字切断線２６に沿って略Ｕ字状に湾曲したＵ字切断部分２６ａが形成される(図３)。
【００５１】
さらに、引き離しが継続され、切断部は、誘導切断線２８に入り、取出し通路２２方向に向けて案内され、幅広部１８の他端(前縁１８ｂ)に達する。
【００５２】
さらに、包装袋の上方部の引き離しが継続されることにより、切断部は、取出し通路２２を横断して包装袋１０の他側縁１０ｄに達し、上方部が本体部から完全に分離される(図３)。このとき、取出し通路２２の上端は、開口となり、この開口を通して包装袋の内容物を包装袋１０の外に放出あるいは流出させることが可能となる。
【００５３】
上述したように、切断部は、略Ｕ字状のＵ字切断部分(Ｕ字状の凹所)２６ａを有することになるので、包装袋の上端に形成された切断部には、取出し通路の近傍位置にＵ字状の凹所が形成されている。
【００５４】
このような包装袋では、開封後、包装袋の内容物を瓶等に移す際には、取出し通路２２を瓶の狭い口に挿入することができる。このとき、取出し通路２２の近傍位置に形成されたＵ字状の凹所２６ａに瓶の口の上縁が差し込まれるので、取出し通路が確実に瓶の口に対して固定され、包装袋の内容物を迅速かつ確実に瓶等の容器に移すことができる。
【００５５】
本発明の前記実施形態に限定されることなく、特許請求の範囲に記載された技術的思想の範囲内で種々の変更、変形が可能である。
【００５６】
上記実施形態の包装袋１０では、Ｕ字切断線２６の一端（包装袋１０の一側側の先端）２６ａの高さ位置が、弱化線２４と同じ高さ位置に配置されていたが、本発明はこの構成に限定されるものではなく、Ｕ字切断線２６の一端（包装袋１０の一側側の先端）２６’ａの高さ位置が、弱化線２４より高い高さ位置に配置された構成(図４)、あるいは、Ｕ字切断線２６”の他端（包装袋１０の他側側の先端）２６ｂ”の高さ位置が、弱化線２４より高い高さ位置に配置されていた構成(図５)でもよい。
【符号の説明】
【００５７】
１０：包装袋
１０ａ：(包装袋の)上端
１０ｂ：(包装袋の)下端
１０ｃ：(包装袋の)一側縁
１０ｄ：(包装袋の)他側縁
１２：背シール部
１４：上部シール部
１６：下部シール部
１８：幅広部
１８ａ：(幅広部の)下縁
１８ｂ：(幅広部の)前縁
２０：幅狭部
２０ａ：(幅狭部)の下縁
２２：取出し通路
２４：弱化線
２４ａ：第１切断線
２４ｂ〜ｎ：切断線
２６：Ｕ字切断線
２８：誘導切断線
【図１】
2020104879.tif 000003
【図２】
2020104879.tif 000004
【図３】
2020104879.tif 000005
【図４】
2020104879.tif 000006
【図５】
2020104879.tif 000007